(57)【要約】【課題】原稿の置き間違いに起因する無駄な処理を低減することが可能な画像読取装置を提供する。【解決手段】画像形成装置は、原稿を載置する原稿載置台と、原稿載置台に載置された原稿の画像を読取る画像読取部とを含む。画像形成装置は、画像読取部によって原稿の画像が読取られたことに応答して、原稿載置台に載置された原稿が、位置合わせの基準となる基準位置に合わせて載置されているか否かを判定する（ステップＳ１０３０）。その判定結果が否定であることに応答して（ステップＳ１０３０においてＮＯ）、画像読取部によって読取られた原稿が基準位置に合わせて載置されていないことをユーザに通知する（ステップＳ１０５０）。【選択図】図８
2015159410.tif 000002
【特許請求の範囲】
【請求項１】
原稿を載置するための載置手段と、
前記載置手段に載置された原稿の画像を読取るための画像読取手段と、
前記画像読取手段によって前記原稿の画像が読取られたことに応答して、前記載置手段に載置された原稿が、位置合わせの基準となる基準位置に合わせて載置されているか否かを判定するための判定手段と、
前記判定手段の判定結果が否定であることに応答して、前記画像読取手段によって読取られた原稿が前記基準位置に合わせて載置されていないことをユーザに通知するための通知手段とを含む、画像読取装置。
【請求項２】
前記通知手段による通知の後に、その後の処理を継続するか否かをユーザに選択させるための選択手段と、
前記選択手段を介したユーザの選択結果に応じて、自機の動作を停止させるための手段とをさらに含む、請求項１に記載の画像読取装置。
【請求項３】
前記基準位置に合わせて載置された原稿を検出するための原稿検出手段をさらに含み、
前記判定手段は、前記原稿検出手段の検出結果に基づいて、前記載置手段に載置された原稿が前記基準位置に合わせて載置されているか否かを判定するための手段を含む、請求項１又は請求項２に記載の画像読取装置。
【請求項４】
前記原稿検出手段は、前記基準位置の近傍に設けられた反射型の光電センサを含む、請求項３に記載の画像読取装置。
【請求項５】
前記原稿検出手段は透過型の光電センサを含む、請求項３に記載の画像読取装置。
【請求項６】
前記画像読取手段が読取った原稿画像に基づいて、前記基準位置に合わせて前記原稿が載置されていることを検出するための原稿検出手段をさらに含み、
前記判定手段は、前記原稿検出手段の検出結果に応じて、前記載置手段に載置された原稿が前記基準位置に合わせて載置されているか否かを判定するための手段を含む、請求項１又は請求項２に記載の画像読取装置。
【請求項７】
前記載置手段に載置された原稿を覆うカバー部材と、
前記カバー部材の開閉動作を検出するための検出手段と、
前記検出手段により前記カバー部材の閉じる動作が検出されたことに応答して、前記基準位置を含む所定の領域の画像を前記画像読取手段に読取らせるための手段と、
前記画像読取手段が読取った画像に基づいて、前記基準位置に合わせて前記原稿が載置されていることを検出するための原稿検出手段をさらに含み、
前記判定手段は、前記原稿検出手段の検出結果に応じて、前記載置手段に載置された原稿が前記基準位置に合わせて載置されているか否かを判定するための手段を含む、請求項１又は請求項２に記載の画像読取装置。
【発明の詳細な説明】
【技術分野】
【０００１】
本発明は、原稿の画像を読取る画像読取装置に関する。
【背景技術】
【０００２】
従来、原稿の画像を読取る画像読取装置が知られている。画像読取装置は、読取対象の原稿が載置される原稿載置台と、原稿載置台の下に配置された読取ユニットとを含む。読取ユニットは、原稿載置台に沿って移動し、原稿載置台上に載置された原稿の画像を読取る。これにより、原稿載置台に載置された原稿の画像データが生成される。こうした画像読取装置として、コピー機能を有するコピー機、ファクシミリ送信機能を有するファクシミリ装置等が知られている。さらに、コピー機能、ファクシミリ機能、プリント機能、及びスキャナ機能のような複数の機能を有する複合機（ＭＦＰ（Ｍｕｌｔｉｆｕｎｃｔｉｏｎ  Ｐｅｒｉｐｈｅｒａｌ））も普及してきている。
【０００３】
後掲の特許文献１には、原稿載置台に載置された原稿をプレスキャンして原稿の傾きを推定し、本スキャンした画像を傾き補正して画像データを生成する画像読取装置が開示されている。特許文献１の画像読取装置では、原稿が多少傾いて原稿載置台上に載置された場合でも、その傾きが補正された画像データが得られる。
【先行技術文献】
【特許文献】
【０００４】
【特許文献１】特開２００９−１６４８０７号公報
【発明の概要】
【発明が解決しようとする課題】
【０００５】
ここで、画像読取装置で原稿の画像を読取る場合、通常、原稿載置台の角に原稿の角を合わせて当該原稿が原稿載置台上に載置される。原稿の置き方はユーザに委ねられているため、ユーザが置き方を知らない場合、原稿画像の読取りミスが生じる。この場合、その後の処理が誤った処理となる。例えばコピー印刷を行なう場合に合わせる角の位置を間違えてしまうとミスコピーに繋がる。
【０００６】
また近年、コンビニエンスストア、及びスーパーマーケット等の私生活の身近な場所にもコピー機、複合機等が設置されてきている。こうした場所に設置されているコピー機、複合機等は、いろいろな年代の人に利用される。複合機等を使い慣れていない人にとっては、原稿の置き方についても馴染みがないことがあるため、原稿の置き間違いによるミスコピーにより無駄な費用を払ってしまうことが多々ある。特許文献１に記載の画像読取装置では、原稿画像の傾きを補正できるものの、上記のような、原稿の置き間違いに起因するミスを低減することは困難である。
【０００７】
本発明は、上記のような課題を解決するためになされたものであり、本発明の１つの目的は、原稿の置き間違いに起因する無駄な処理を低減することが可能な画像読取装置を提供することである。
【課題を解決するための手段】
【０００８】
上記目的を達成するために、本発明の一の局面に係る画像読取装置は、原稿を載置するための載置手段と、載置手段に載置された原稿の画像を読取るための画像読取手段と、画像読取手段によって原稿の画像が読取られたことに応答して、載置手段に載置された原稿が、位置合わせの基準となる基準位置に合わせて載置されているか否かを判定するための判定手段と、判定手段の判定結果が否定であることに応答して、画像読取手段によって読取られた原稿が基準位置に合わせて載置されていないことをユーザに通知するための通知手段とを含む。
【０００９】
画像読取装置は、画像読取手段によって原稿の画像が読取られたことに応答して、載置手段に載置された原稿が、位置合わせの基準となる基準位置に合わせて載置されているか否かを判定する。その判定結果が否定である場合、画像読取装置は、原稿が基準位置に合わせて載置されていないことをユーザに通知する。この通知により、原稿の置き間違いをユーザに気付かせることができるので、その後の処理を中止するよう促すことができる。これにより、原稿の置き間違いに起因する無駄な処理が低減する。例えばコピー印刷を行なう場合には、原稿の置き間違いに起因するミスコピーを低減できる。これにより、ミスコピーによる資源の無駄、及びコピー費用の無駄を防ぐことができる。
【００１０】
好ましくは、画像読取装置は、通知手段による通知の後に、その後の処理を継続するか否かをユーザに選択させるための選択手段と、選択手段を介したユーザの選択結果に応じて、自機の動作を停止させるための手段とをさらに含む。
【００１１】
画像読取装置で原稿の画像を読取る場合、ユーザが故意に基準位置からずらして原稿を載置することもあり得る。この場合、その後の処理を継続してもその処理が無駄になる可能性は低い。通知手段による通知の後に、その後の処理を継続するか否かをユーザに選択させることで、ユーザが故意に基準位置からずらして原稿を載置しているか否かが分かる。ユーザが故意に基準位置からずらして原稿を載置している場合には、その後の処理を継続できる。一方、ユーザが故意に基準位置からずらして原稿を載置していない場合、すなわち、ユーザが位置を間違って原稿を載置している場合は、画像読取装置は自機の動作を停止する。これにより、原稿の置き間違いに起因する無駄な処理を容易に低減できる。
【００１２】
より好ましくは、画像読取装置は、基準位置に合わせて載置された原稿を検出するための原稿検出手段をさらに含み、判定手段は、原稿検出手段の検出結果に基づいて、載置手段に載置された原稿が基準位置に合わせて載置されているか否かを判定するための手段を含む。
【００１３】
さらに好ましくは、原稿検出手段は、基準位置の近傍に設けられた反射型の光電センサを含む。
【００１４】
さらに好ましくは、原稿検出手段は透過型の光電センサを含む。
【００１５】
さらに好ましくは、画像読取装置は、画像読取手段が読取った原稿画像に基づいて、基準位置に合わせて原稿が載置されていることを検出するための原稿検出手段をさらに含み、判定手段は、原稿検出手段の検出結果に応じて、載置手段に載置された原稿が基準位置に合わせて載置されているか否かを判定するための手段を含む。
【００１６】
さらに好ましくは、画像読取装置は、載置手段に載置された原稿を覆うカバー部材と、カバー部材の開閉動作を検出するための検出手段と、検出手段によりカバー部材の閉じる動作が検出されたことに応答して、基準位置を含む所定の領域の画像を画像読取手段に読取らせるための手段と、画像読取手段が読取った画像に基づいて、基準位置に合わせて原稿が載置されていることを検出するための原稿検出手段をさらに含み、判定手段は、原稿検出手段の検出結果に応じて、載置手段に載置された原稿が基準位置に合わせて載置されているか否かを判定するための手段を含む。
【発明の効果】
【００１７】
以上より、本発明によれば、原稿の置き間違いに起因する画像の読取りミスを低減することが可能な画像読取装置を得ることができる。
【図面の簡単な説明】
【００１８】
【図１】本発明の第１の実施の形態に係る画像形成装置の外観を示す図である。
【図２】図１に示す画像形成装置のハードウェア構成を示す制御ブロック図である。
【図３】画像読取部のハードウェア構成を示す制御ブロック図である。
【図４】原稿載置台及び画像読取部を示す平面図である。
【図５】基準位置に合わせて載置された原稿を検出する反射型の光電センサを示す図である。
【図６】基準位置に合わせて載置された原稿を検出する反射型の光電センサを示す図である。
【図７】基準位置に合わせて載置された原稿を検出する反射型の光電センサの設置位置を示す図である。
【図８】図１に示す画像形成装置で実行されるプログラムの制御構造を示すフローチャートである。
【図９】操作パネルに表示される警告画面の一例を示す図である。
【図１０】反射型の光電センサ（原稿位置検出部）による原稿の検出を説明するための図である。
【図１１】反射型の光電センサ（原稿位置検出部）による原稿の検出を説明するための図である。
【図１２】本発明の第２の実施の形態に係る画像形成装置を説明するための図である。
【図１３】本発明の第３の実施の形態に係る画像形成装置を説明するための図である。
【図１４】本発明の第４の実施の形態に係る画像形成装置のハードウェア構成を示す制御ブロック図である。
【図１５】図１４に示す画像形成装置で実行されるプログラムの制御構造を示すフローチャートである。
【図１６】図１５のステップＳ２０００の詳細なフローである。
【図１７】図１４に示す画像形成装置における原稿載置位置の検出方法を説明するための図である。
【図１８】本スキャンによって読取った画像の一例を示す図である。
【図１９】本発明の第５の実施の形態に係る画像形成装置で実行されるプログラムの制御構造を示すフローチャートである。
【図２０】操作パネルに表示される警告画面の一例を示す図である。
【発明を実施するための形態】
【００１９】
以下の実施の形態では、同一の部品には同一の参照番号を付してある。それらの機能及び名称も同一である。したがって、それらについての詳細な説明は繰返さない。以下では、画像読取装置の１種である、画像読取機能を持つ画像形成装置に本発明を適用した例について説明する。
【００２０】
（第１の実施の形態）
図１を参照して、本実施の形態に係る画像形成装置１００は、例えば、コピー機能、ファクシミリ機能、プリント機能、及びスキャナ機能等を備える複合機（ＭＦＰ）である。この画像形成装置１００は、レーザー光を露光に利用する、所謂レーザー方式（電子写真方式）の印刷機能を備える。しかし、他の形式の印刷機能を備えたものであってもよい。
【００２１】
［全体構成］
画像形成装置１００は画像データに基づいて所定のシート（記録用紙）に多色又は単色の画像を形成する。画像形成装置１００は、外部からの入力により、又は画像形成装置１００が備える画像読取機能により画像データを含むジョブを取得して、取得したジョブを実行する。
【００２２】
画像形成装置１００の上部には、原稿が載置される透明ガラス板からなる原稿載置台１０２が設けられている。原稿載置台１０２は矩形状の載置面を持つ。原稿載置台１０２の上方には原稿カバー１０４が配置されている。この原稿カバー１０４は、装置本体に対して開閉可能に取付けられている。原稿載置台１０２の下方には、原稿の画像情報を読取る画像読取部１２０が配置されている。画像読取部１２０の前方には、操作部１９０が設置されている。操作部１９０は、ユーザが、画像形成装置１００に対して指示を入力するための操作パネル１９２を含む。この操作パネル１９２は指示の入力及び情報の表示等を行なうタッチパネルディスプレイからなる。
【００２３】
画像読取部１２０の下方には、画像データによって示される画像を記録用紙に印刷するための画像形成部１５０が設けられている。画像形成部１５０の下側には、当該画像形成部１５０に対して記録用紙を給紙するための給紙部１６０が設けられている。この給紙部１６０は、記録用紙を収納する複数の給紙トレイ１６２〜１６８を含む。各給紙トレイ１６２〜１６８にはそれぞれ給紙ローラ（図示せず。）が設けられており、この給紙ローラによって記録用紙が１枚単位で連続的に給送される。
【００２４】
［ハードウェア構成］
図２を参照して、画像形成装置１００は、画像読取部１２０、画像形成部１５０、給紙部１６０、及び操作部１９０に加えて、制御部１１０、画像処理部１４０、原稿位置検出部１７０、及び通信部１８０を含む。
【００２５】
制御部１１０は、実質的にコンピュータであって、画像形成装置１００全体を制御するＣＰＵ１１２、プログラム等を記憶するためのＲＯＭ（Ｒｅａｄ  Ｏｎｌｙ  Ｍｅｍｏｒｙ）１１４、揮発性の記憶装置であるＲＡＭ（Ｒａｎｄｏｍ  Ａｃｃｅｓｓ  Ｍｅｍｏｒｙ）１１６、及び記憶装置１１８を含む。記憶装置１１８は、通電が遮断された場合にもデータを保持する不揮発性記憶装置であり、ハードディスクドライブ（ＨＤＤ）又はフラッシュメモリ等である。ＣＰＵ１１２には、ＢＵＳライン２００が接続されており、このＢＵＳライン２００には、ＲＯＭ１１４、ＲＡＭ１１６及び記憶装置１１８が電気的に接続される。
【００２６】
ＣＰＵ１１２は、操作部１９０等からの指示に応じて各種コンピュータプログラムを実行することによって、画像形成装置１００の各部の動作及び情報処理装置等の外部機器との通信等の所望の処理を実行する。上記の各種コンピュータプログラムは、予めＲＯＭ１１４又は記憶装置１１８に記憶されており、所望の処理の実行時において、当該ＲＯＭ１１４又は記憶装置１１８から読出されてＲＡＭ１１６に転送される。ＣＰＵ１１２は、ＣＰＵ１１２内の図示しないプログラムカウンタと呼ばれるレジスタに格納された値によって指定される、ＲＡＭ１１６内のアドレスからプログラムの命令を読出し、解釈する。ＣＰＵ１１２はまた、読出された命令によって指定されるアドレスから演算に必要なデータを読出し、そのデータに対し命令に対応する演算を実行する。実行の結果も、ＲＡＭ１１６、記憶装置１１８及びＣＰＵ１１２内のレジスタ等の、命令によって指定されるアドレスに格納される。
【００２７】
記憶装置１１８には、画像形成装置１００の一般的な動作を実現するためのコンピュータプログラムが記憶される。このコンピュータプログラムは、通信部１８０を介して、情報処理装置等から提供される。なお、このコンピュータプログラムは、そのコンピュータプログラムが記録された、例えばＤＶＤ等の記憶媒体によって提供されてもよい。すなわち、例えばコンピュータプログラムの記録媒体としてのＤＶＤが、画像形成装置１００内に内蔵されるＤＶＤドライブ（図示せず。）に装着され、そのＤＶＤからコンピュータプログラムが読出されて記憶装置１１８にインストールされてもよい。記憶装置１１８は、他に、画像データ等を含む各種データを記憶する。
【００２８】
ＢＵＳライン２００には、さらに、画像読取部１２０、原稿位置検出部１７０、画像処理部１４０、画像形成部１５０、給紙部１６０、通信部１８０、及び操作部１９０が電気的に接続される。
【００２９】
図３を参照して、画像読取部１２０は、原稿画像を主走査方向において光学的に読取る読取ユニット（キャリッジ）１２２、原稿画像の読取り時に読取ユニット１２２を副走査方向に搬送する搬送部１２４、原稿載置台１０２に載置された原稿のサイズを検出する原稿サイズ検出部１２６、及び原稿カバー１０４の開閉を検出するカバー開閉検出部１２８を含む。
【００３０】
読取ユニット１２２は、光源及びＣＣＤ（Ｃｈａｒｇｅ−Ｃｏｕｐｌｅｄ  Ｄｅｖｉｃｅ）ラインセンサ（以上いずれも図示せず。）を含む。読取ユニット１２２は、原稿載置台１０２上に載置された原稿の画像表面に対し光源から光を照射することによって得られる反射光像をＣＣＤラインセンサ上に結像させ、光源を移動させながら原稿をスキャンする。ＣＣＤラインセンサは、結像した反射光像を順次光電変換して画像データとして画像処理部１４０に対して出力する。すなわち、画像読取部１２０は、原稿のコピー時又はスキャン時に、原稿載置台１０２に載置される原稿から読取ユニット１２２によって画像情報を読取り、読取った画像情報をＣＣＤラインセンサによって電気信号に変換して画像データとして画像処理部１４０に対して出力する。
【００３１】
図４を参照して、原稿サイズ検出部１２６は複数の透過型の光電センサ１３０を含む。透過型の光電センサ１３０は、対向する投光器１３２及び受光器１３４を含む。投光器１３２は受光器１３４に向けて光を発する。受光器１３４は投光器１３２から発せられた光を受光する。透過型の光電センサ１３０は、対向する投光器１３２及び受光器１３４の間の光軸（破線矢印参照）を原稿が遮ることで原稿を検出する。各光電センサ１３０は、その光軸が主走査方向に沿うように配置されている。すなわち、複数の投光器１３２及び複数の受光器１３４はそれぞれ主走査方向に直交する副走査方向に沿って配列されている。複数の投光器１３２は例えば原稿載置台１０２の上方奥側に配置されている。一方、複数の受光器１３４は例えば原稿載置台１０２の下方手前側に配置されている。
【００３２】
図５を参照して、原稿サイズ検出部１２６は、複数の透過型の光電センサ１３０のうちどのセンサが原稿を検出しているかによって、原稿載置台１０２上に載置された原稿のサイズを検出する。例えば、センサ１３０ａ及びセンサ１３０ｂの光軸は原稿Ｐによって遮られており、センサ１３０ｃの光軸は原稿Ｐによって遮られていない。この場合、原稿サイズ検出部１２６はセンサ１３０ｂとセンサ１３０ｃとの間に原稿Ｐの用紙端があると判定して、原稿のサイズを検出する。
【００３３】
再び図３を参照して、カバー開閉検出部１２８は、原稿カバー１０４の開閉動作に応じてＯＮ／ＯＦＦを切替えるスイッチ（図示せず。）を含む。このスイッチは、原稿カバー１０４の閉動作時において、当該原稿カバー１０４が完全に閉じる前の所定の位置でＯＮされ、原稿カバー１０４の開動作時において、上記所定の位置を過ぎるとＯＦＦされる。所定の位置は、例えば原稿カバー１０４が原稿載置台１０２から１０ｍｍ〜５０ｍｍ程度浮いた状態の位置であるのが好ましい。なお、上記センサのＯＮ／ＯＦＦは逆であってもよい。
【００３４】
原稿サイズ検出部１２６は、カバー開閉検出部１２８が原稿カバー１０４が閉じられたことを検出したこと（スイッチがＯＮされたこと）に応答して、原稿サイズを検出する。
【００３５】
画像読取部１２０はさらに、画像を読取る原稿を位置合わせする基準となる基準位置を持つ。再び図５を参照して、本実施の形態では、この基準位置は原稿載置台１０２の左奥の角（角部２１０）とされている。原稿載置台１０２の周囲のフレーム部分（左奥の角の近傍）には、基準位置を示すマーク２１２（図４参照）が示されている。原稿載置台１０２に載置される原稿は、原稿載置台１０２の角部２１０に原稿の角を合わせて載置される。
【００３６】
原稿位置検出部１７０は、基準位置に合わせて載置された原稿を検出する。この原稿位置検出部１７０は反射型の光電センサ１７２を含む。反射型の光電センサ１７２は、投光器と受光器とが一体となったセンサであり、原稿載置台１０２の下方における、基準位置となる角部２１０の周辺（近傍）に設けられている。図６を参照して、反射型の光電センサ１７２は原稿Ｐで反射された光を受光することによって角部２１０の周辺に原稿（原稿の角部分）が位置していることを検出する。本実施の形態では、原稿位置検出部１７０は、カバー開閉検出部１２８が原稿カバー１０４が閉じられたことを検出したこと（スイッチがＯＮされたこと）に応答して、すなわち原稿カバー１０４が完全に閉じる前に、角部２１０の周辺に原稿が位置しているか否かを検出し、その検出結果を記憶する。
【００３７】
図７を参照して、反射型の光電センサ１７２は許容可能な位置ズレを考慮して角部２１０の周辺に配置されている。角部２１０の周辺とは、角を成す２辺の周辺をも含む。角部２１０の周辺は、主走査方向における角部２１０からの距離ａ、及び副走査方向における角部２１０からの距離ｂが、それぞれ、１０ｍｍ以下の領域であるのが好ましく、５ｍｍ以下の領域であればより好ましく、３ｍｍ以下の領域であればさらに好ましい。
【００３８】
再び図２を参照して、画像処理部１４０は、ＭＰＵ（Ｍｉｃｒｏ  Ｐｒｏｃｅｓｓｉｎｇ  Ｕｎｉｔ、図示せず。）を含む。画像処理部１４０は、画像読取部１２０、又は、外部装置等から受信した画像データに対して、例えば、ラスタライズ処理等の所定の画像処理を含む各種処理を施して所定の階調の印刷データを作成し、画像形成部１５０に対して出力する。
【００３９】
画像形成部１５０は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を備えている。画像形成部１５０には、例えば、搬送路が設けられており、給紙部１６０から給紙されてきた記録用紙が搬送路に沿って搬送される。
【００４０】
給紙部１６０は、複数の給紙トレイ１６２〜１６８を含む。給紙部１６０は、給紙トレイ１６２〜１６８に収納された記録用紙を１枚ずつ引出して記録用紙を画像形成部１５０の搬送路へと送り出す。画像形成部１５０の搬送路に沿って記録用紙が搬送されている途中で、記録用紙が感光体ドラムと転写装置との間を通過し、さらに定着装置を通過して、記録用紙に対する印刷が行なわれる。
【００４１】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００４２】
定着装置は、記録用紙を加熱するための加熱ローラと、記録用紙を加圧するための加圧ローラとを含む。記録用紙が、加熱ローラによって加熱され、かつ、加圧ローラによって加圧されることによって、記録用紙上に転写されたトナー像が記録用紙に定着される。定着装置から排出された（印刷された）記録用紙は排紙トレイに排出される。
【００４３】
通信部１８０は、ネットワークとのインターフェイスをとる。画像形成装置１００は、この通信部１８０を介して、ネットワーク上の情報処理装置等と、所定の通信プロトコルに従ったデータ通信を行なうことができる。画像形成装置１００は、通信部１８０を介して、情報処理装置から印刷ジョブ等の各種処理の実行を命令する命令信号を受信できる。
【００４４】
操作部１９０はユーザによる操作を受付ける。この操作部１９０は、操作パネル１９２（タッチパネルディスプレイ）を含む。操作パネル１９２は、液晶パネル等で構成された表示パネルと、表示パネルの上に配置され、タッチされた位置を検出するタッチパネルとを含む。表示パネルは、画像形成装置１００の状態及び各種処理の状態に関する情報等の各種情報をユーザに提供する。この操作パネル１９２はまた、ユーザに対して対話的な操作インターフェイスを提供する。この対話的な操作インターフェイスは、タッチパネルから画像形成装置１００全体の動作に対するユーザの指示を受付け、その指示の内容を表示パネルに表示するとともに、その指示に応じた制御信号を制御部１１０等に対して出力する。
【００４５】
［ソフトウェア構成］
図８を参照して、原稿の置き間違いをユーザに通知するために、画像形成装置１００で実行されるコンピュータプログラムの制御構造について説明する。以下では、原稿画像の読取処理を伴うコピー印刷を行なう場合について説明する。
【００４６】
このプログラムは、原稿カバー１０４が開けられたことをカバー開閉検出部１２８が検出したことに応じて開始する。このプログラムは、原稿位置検出部１７０を介して、原稿載置台１０２に載置された原稿の位置を検出するステップＳ１０００と、ステップＳ１０００の後に実行され、スキャン開始の指示がされたか否かを判定し、スキャン開始の指示がされるまで待機するステップＳ１０１０と、ステップＳ１０１０において、スキャン開始の指示がされたと判定された場合に実行され、画像読取部１２０を制御して、原稿載置台１０２に載置された原稿の画像を読取るステップＳ１０２０と、ステップＳ１０２０の後に実行され、角部２１０に原稿の角があるか否か、すなわち角部２１０に原稿の角を合わせて原稿が載置されているか否かを判定し、判定結果に応じて制御の流れを分岐させるステップＳ１０３０とを含む。ステップＳ１０００では、原稿位置検出部１７０によって、原稿載置台１０２に載置された原稿が、基準位置となる角部２１０に合わせて載置されているか否かを検出する。
【００４７】
このプログラムはさらに、ステップＳ１０３０において、角部２１０に原稿の角がないと判定された場合に実行され、動作を一時停止するステップＳ１０４０と、ステップＳ１０４０の後に実行され、操作パネル１９２に警告画面を表示して、角部２１０に原稿の角が合っていないことをユーザに通知するステップＳ１０５０と、ステップＳ１０５０の後に実行され、ユーザによって動作選択がされたか否かを判定し、判定結果に応じて制御の流れを分岐させるステップＳ１０６０とを含む。
【００４８】
ステップＳ１０５０では、操作パネル１９２に図９に示される警告画面３００が表示される。図９を参照して、警告画面３００には、原稿の角が合っていない可能性があることをユーザに通知するメッセージ、原稿を左上の角に合わせるよう促すメッセージ、コピー処理を継続するか否かをユーザに選択させるための「はい」キー３１０及び「いいえ」キー３２０、並びにプレビュー画面を表示させるための「プレビュー画面表示」キー３３０が表示されている。警告画面３００において、ユーザにより「はい」キー３１０が操作（選択）されると、ステップＳ１０６０において、動作選択がされたと判定される。一方、警告画面３００において、ユーザにより「いいえ」キー３２０が操作（選択）されると、ステップＳ１０６０において、動作選択がされなかったと判定される。
【００４９】
再び図８を参照して、このプログラムはさらに、ステップＳ１０３０において、角部２１０に原稿の角があると判定された場合、及び、ステップＳ１０６０において、ユーザによって動作選択がされたと判定された場合に実行され、読取った画像データを登録（ＲＡＭ１１６に記憶）するステップＳ１０７０と、ステップＳ１０７０の後に実行され、登録した画像データを用いて印刷処理を実行するステップＳ１０８０とを含む。ステップＳ１０８０の処理が終了すると、このプログラムは終了する。
【００５０】
このプログラムはさらに、ステップＳ１０６０において、ユーザによって動作選択がされなかったと判定された場合に実行され、読取った画像データを消去するステップＳ１０９０と、ステップＳ１０９０の後に実行され、自機の動作を停止してこのプログラムを終了するステップＳ１１００とを含む。
【００５１】
［動作］
本実施の形態に係る画像形成装置１００は以下のように動作する。以下の説明では、画像形成装置１００の動作の内、本発明に関連する部分のみを説明する。他の動作は従来の動作と同様である。
【００５２】
読取対象の原稿が原稿載置台１０２に載置されたものとする。ユーザによって原稿カバー１０４が閉じられると、原稿位置検出部１７０は、原稿カバー１０４が完全に閉じる前に、角部２１０の周辺に原稿が位置しているか否か、すなわち基準位置となる角部２１０に原稿の角を合わせて原稿が載置されているか否かを検出する（ステップＳ１０００）。原稿カバー１０４が完全に閉じる前に原稿を検出するのは、原稿カバー１０４が完全に閉じてしまうと、反射型の光電センサ１７２による原稿の検出が困難となるためである。
【００５３】
図１０を参照して、角部２１０に原稿の角を合わせて原稿Ｐが載置されている場合（正しい位置に原稿が載置されている場合）、反射型の光電センサ１７２によって原稿Ｐが検出される。図１１を参照して、角部２１０に原稿の角を合わせて原稿Ｐが載置されていない場合（間違った位置に原稿が載置されている場合）、反射型の光電センサ１７２によって原稿Ｐが検出されない。原稿位置検出部１７０は、反射型の光電センサ１７２による原稿Ｐの検出の有無に応じて、角部２１０に原稿の角を合わせて原稿が載置されているか否かを検出する。原稿位置検出部１７０は検出した結果を記憶する。
【００５４】
ユーザによってコピー開始の指示がされると（ステップＳ１０１０においてＹＥＳ）、画像形成装置１００は画像読取部１２０によって原稿載置台１０２に載置された原稿の画像を読取る（ステップＳ１０２０）。読取った画像データは一旦バッファ（図示せず。）に蓄積される。画像読取部１２０によって原稿の画像が読取られると、制御部１１０は、原稿位置検出部１７０の検出結果に基づいて角部２１０に原稿の角を合わせて原稿が載置されているか否かを判定する。角部２１０に原稿の角を合わせて原稿が載置されていると判定された場合（ステップＳ１０３０においてＹＥＳ）、すなわち原稿の置き方が正しい場合、画像形成装置１００は読取った画像データを登録（ＲＡＭ１１６に記憶）する（ステップＳ１０７０）。画像形成装置１００は、画像形成部１５０を制御して、登録した画像データの印刷処理（コピー印刷）を実行する（ステップＳ１０８０）。
【００５５】
一方、角部２１０に原稿の角を合わせて原稿が載置されていないと判定された場合（ステップＳ１０３０においてＮＯ）、すなわち原稿の置き方が間違っている場合、画像形成装置１００は動作を一時的に停止し（ステップＳ１０４０）、操作パネル１９２に警告画面３００（図９参照）を表示して、角部２１０に原稿の角が合っていないことをユーザに通知する（ステップＳ１０５０）。
【００５６】
ユーザが故意に角部２１０からずらして原稿を載置している場合、ユーザは、警告画面３００の「はい」キー３１０を操作することによりその後の処理を継続できる（ステップＳ１０６０においてＹＥＳ）。この場合、画像形成装置１００は、読取った画像データをＲＡＭ１１６に記憶して（ステップＳ１０７０）、その画像データの印刷処理（コピー印刷）を実行する（ステップＳ１０８０）。
【００５７】
ユーザが故意に角部２１０からずらして原稿を載置したわけではない場合、原稿の置き方が間違っているため、ユーザは、警告画面３００の「いいえ」キー３２０を操作することによりその後の処理を中止できる（ステップＳ１０６０においてＮＯ）。この場合、画像形成装置１００は、読取った画像データを消去し（ステップＳ１０９０）、動作を停止する（ステップＳ１１００）。これにより、原稿の置き間違いの場合はコピー印刷が実行されない。
【００５８】
［作用・効果］
以上の説明から明らかなように、本実施の形態に係る画像形成装置１００を利用することにより、以下に述べる効果を奏する。
【００５９】
画像形成装置１００は、画像読取部１２０によって原稿の画像が読取られたことに応答して、原稿載置台１０２に載置された原稿が、基準位置である角部２１０に合わせて載置されているか否かを判定する。その判定結果が否定である場合、画像形成装置１００は、原稿が角部２１０に合わせて載置されていないことをユーザに通知する。この通知により、原稿の置き間違いをユーザに気付かせることができるので、その後の処理を中止するよう促すことができる。これにより、原稿の置き間違いに起因する無駄な処理が低減する。例えばコピー印刷を行なう場合には、原稿の置き間違いに起因するミスコピーを低減できる。これにより、ミスコピーによる資源の無駄、及びコピー費用の無駄を防ぐことができる。
【００６０】
画像読取部１２０で原稿の画像を読取る場合、ユーザが故意に角部２１０からずらして原稿を載置することもあり得る。この場合、その後の処理を継続してもその処理が無駄になる可能性は低い。操作パネル１９２に警告画面３００を表示してユーザに通知するとともに、その警告画面３００において、その後の処理を継続するか否かをユーザに選択させることで、ユーザが故意に角部２１０からずらして原稿を載置しているか否かが分かる。ユーザが故意に角部２１０からずらして原稿を載置している場合には、その後の処理を継続できる。一方、ユーザが故意に角部２１０からずらして原稿を載置していない場合、すなわち、ユーザが位置を間違って原稿を載置している場合は、画像形成装置１００は自機の動作を停止する。これにより、原稿の置き間違いに起因する無駄な処理を容易に低減できる。
【００６１】
（第２の実施の形態）
本実施の形態に係る画像形成装置は、原稿位置検出部が、反射型の光電センサに代えて透過型の光電センサを含む点において、第１の実施の形態に係る画像形成装置１００と異なる。その他の点では、各画像形成装置は同一の構成である。
【００６２】
図１２を参照して、本実施の形態では、原稿位置検出部が２つの透過型の光電センサ２３０及び２４０を含む。光電センサ２３０は、対向する投光器２３２及び受光器２３４を含む。この光電センサ２３０は、原稿サイズ検出部の光電センサ１３０と同様、その光軸が主走査方向に沿うように配置されている。光電センサ２４０は、対向する投光器２４２及び受光器２４４を含む。この光電センサ２４０は、その光軸が副走査方向に沿うように配置されている。
【００６３】
本実施の形態に係る画像形成装置は、２つの光電センサ２３０及び２４０によって、基準位置となる角部２１０に原稿の角を合わせて原稿が載置されているか否かを検出する。そのため、光電センサ２３０は、角部２１０をなす２辺の一方（原稿載置台１０２の左端部１０２ａ）の近傍に光軸が位置するように配置されている。光電センサ２４０は、角部２１０をなす２辺の他方（原稿載置台１０２の上端部１０２ｂ）の近傍に光軸が位置するように配置されている。原稿位置検出部は、２つの光電センサ２３０及び２４０の両方が原稿Ｐを検出しているか否かに応じて、角部２１０に原稿の角を合わせて原稿Ｐが載置されているか否かを検出する。
【００６４】
（第３の実施の形態）
本実施の形態に係る画像形成装置は、原稿位置検出部が、１つの透過型の光電センサを含む点において、２つの透過型の光電センサを含む第２の実施の形態に係る画像形成装置と異なる。その他の点では、各画像形成装置は同一の構成である。
【００６５】
図１３を参照して、本実施の形態では、原稿位置検出部が１つの透過型の光電センサ２５０を含み、この光電センサ２５０によって、基準位置となる角部２１０に原稿の角を合わせて原稿が載置されているか否かを検出する。光電センサ２５０は、対向する投光器２５２及び受光器２５４を含み、受光器２５４が投光器２５２の近くに設けられている。これにより、角部２１０に原稿の角を合わせて原稿が載置されているときにのみ、対向する投光器２５２及び受光器２５４の間の光軸が原稿によって遮られるようになっている。
【００６６】
（第４の実施の形態）
図１４を参照して、本実施の形態に係る画像形成装置４００は、スキャン開始の指示前に画像読取部１２０で読取った画像データに基づいて、基準位置となる角部２１０に原稿の角を合わせて原稿が載置されているか否かを検出する点において、第１の実施の形態に係る画像形成装置１００と異なる。したがって、本実施の形態に係る画像形成装置４００は、原稿位置検出部１７０（図２参照）を含まない。その他の点では、各画像形成装置は同一の構成である。
【００６７】
［ソフトウェア構成］
本実施の形態に係る画像形成装置４００では、図８に示されるプログラムに代えて、図１５及び図１６に示されるプログラムが実行される。図１５のプログラムは、図８のプログラムのステップＳ１０００及びステップＳ１０３０に代えて、それぞれ、ステップＳ２０００及びステップＳ２０１０を含む。ステップＳ１０１０、ステップＳ１０２０、及びステップＳ１０４０〜ステップＳ１１００における処理は、図８に示される各ステップにおける処理と同じである。以下、異なる部分について説明する。
【００６８】
図１５を参照して、このプログラムは、原稿載置台１０２に載置された原稿の位置を検出するステップＳ２０００と、ステップＳ１０２０の後に実行され、角部２１０に原稿の角があるか否か、すなわち角部２１０に原稿の角を合わせて原稿が載置されているか否かを判定し、判定結果に応じて制御の流れを分岐させるステップＳ２０１０とを含む。
【００６９】
図１６は、図１５のステップＳ２０００の詳細なフローである。図１６を参照して、このルーチンは、カバー開閉検出部１２８（図３参照）を介して原稿カバー１０４（図１参照）の閉動作を検出するステップＳ２１００と、ステップＳ２１００の後に実行され、読取ユニット１２２（図３参照）をガラス板（原稿載置台１０２）の端部まで移動させるステップＳ２１１０と、ステップＳ２１１０の後に実行され、原稿カバー１０４が半開きの状態で読取ユニット１２２により所定範囲をスキャンするステップＳ２１２０と、ステップＳ２１２０の後に実行され、読取った画像（スキャン画像）に基づいて、角部２１０に原稿があるか否かを検出するステップＳ２１３０と、ステップＳ２１３０の後に実行され、検出結果を記憶してこのルーチンを終了するステップＳ２１４０とを含む。
【００７０】
再び図１５を参照して、ステップＳ２０００の処理が終了すると、制御はステップＳ１０１０に進む。ステップＳ２０１０では、ステップＳ２０００における検出結果に基づいて角部２１０に原稿の角を合わせて原稿が載置されているか否かを判定する。
【００７１】
［動作］
本実施の形態に係る画像形成装置４００は以下のように動作する。なお、角部２１０に原稿の角を合わせて原稿が載置されているか否かを検出する動作以外の動作は第１の実施の形態と同様である。
【００７２】
図１７を参照して、原稿カバー１０４を開けたとき、読取ユニット１２２は初期位置で待機している。読取対象の原稿が原稿載置台１０２に載置され、ユーザによって原稿カバー１０４が閉じられると、カバー開閉検出部１２８がスイッチのＯＮを検出することによって原稿カバー１０４の閉動作を検出する（ステップＳ２１００）。この時点では、原稿カバー１０４は完全に閉じられた状態となっていない。
【００７３】
カバー開閉検出部１２８が原稿カバー１０４の閉動作を検出すると、画像読取部１２０は読取ユニット１２２を原稿載置台１０２の端部（左端部）まで移動させる（ステップＳ２１１０）。読取ユニット１２２を原稿載置台１０２の端部まで移動させた後、原稿カバー１０４が完全に閉じてしまう前に、画像読取部１２０は読取ユニット１２２によって所定の範囲（微小範囲ｃ）をスキャンする（ステップＳ２１２０）。
【００７４】
なお、原稿カバー１０４が完全に閉じてしまう前の状態（原稿カバー１０４が半開きの状態）とは、原稿カバー１０４が原稿載置台１０２（載置面）から例えば１０ｍｍ〜５０ｍｍ程度浮いた状態である。読取ユニット１２２によって読取る所定の範囲（微小範囲ｃ）は、例えば１０ｍｍ〜３０ｍｍ程度であるのが好ましい。読取ユニット１２２によって読取る所定の範囲（微小範囲ｃ）は、基準位置である角部２１０及び当該角部２１０の周辺を含む。
【００７５】
原稿カバー１０４が半開きの状態で読取ユニット１２２によって所定の範囲（微小範囲ｃ）をスキャンした場合、読取画像において、原稿が置かれていない部分は黒っぽい画像となる。画像形成装置４００は、原稿カバー１０４が完全に閉じていない状態で読取ユニット１２２によってスキャンを行ない、読取った画像データにおける角部２１０の周辺に対応する部分の画像濃度値が大きい（所定値より大きい（黒っぽい画像である））か否かに応じて、角部２１０の周辺に原稿（原稿の角部分）が位置しているか否かを検出する（ステップＳ２１３０）。画像形成装置４００は、読取った画像データにおける角部２１０の周辺に対応する部分の画像濃度値が大きい場合、角部２１０の周辺に原稿が位置していないことを検出する。画像形成装置４００は検出した結果を記憶する（ステップＳ２１４０）。画像形成装置４００は、この検出結果に基づいて角部２１０に原稿の角を合わせて原稿が載置されているか否かを判定する（ステップＳ２０１０）。
【００７６】
［作用・効果］
以上の説明から明らかなように、本実施の形態に係る画像形成装置４００を利用することにより、以下に述べる効果を奏する。
【００７７】
本実施の形態に係る画像形成装置４００では、光電センサ等を用いることなく、角部２１０に原稿の角を合わせて原稿が載置されているか否かを判定できる。そのため、装置の構造を簡素化できる。その他の効果は、上記第１〜第３の実施の形態と同じである。
【００７８】
（第５の実施の形態）
本実施の形態に係る画像形成装置は、本スキャンによって読取った画像データに基づいて、基準位置となる角部２１０（図１７参照）に原稿の角を合わせて原稿が載置されているか否かを検出する点において、第４の実施の形態に係る画像形成装置４００と異なる。その他の点では、各画像形成装置は同一の構成である。
【００７９】
本スキャンでは、原稿載置台１０２に載置された原稿の画像が画像読取部１２０で読取られる。図１８を参照して、読取られた画像（スキャン直後の画像）には、原稿の用紙端を示す筋状の画像（エッジ画像５００）が形成される。図１８には、基準位置となる角部２１０に対応する位置が角部２１０ａとして示されている。画像形成装置は、角部２１０ａからエッジ画像５００までの距離に基づいて、角部２１０の周辺に原稿（原稿の角部分）が位置していることを検出する。具体的には、画像形成装置は、画像処理により、角部２１０ａの周辺（領域５１０内）にエッジ画像５００が存在するか否かを判定する。角部２１０ａの周辺（領域５１０内）にエッジ画像５００が存在する場合、画像形成装置は角部２１０に原稿の角を合わせて原稿が載置されていると判定する。一方、角部２１０ａの周辺（領域５１０内）にエッジ画像５００が存在しない場合、画像形成装置は角部２１０に原稿の角を合わせて原稿が載置されていないと判定する。
【００８０】
なお、本スキャンで読取った画像データに対してエッジ検出処理を実行することにより、エッジ画像５００を検出するようにしてもよい。また、本スキャンで読取った画像データに含まれるエッジ画像５００は、画像処理によってＲＡＭ１１６に記憶される前に消去される。
【００８１】
［ソフトウェア構成］
本実施の形態に係る画像形成装置では、図１５に示されるプログラムに代えて、図１９に示されるプログラムが実行される。図１９のプログラムは、図１５のプログラムのステップＳ２０１０及びステップＳ１０５０に代えて、それぞれ、ステップＳ３０００及びステップＳ３０１０を含む。さらに図１９のプログラムでは、図１５のプログラムのステップＳ２０００が省略されている。ステップＳ１０１０、ステップＳ１０２０、ステップＳ１０４０、及びステップＳ１０６０〜ステップＳ１１００における処理は、図１５に示される各ステップにおける処理と同じである。以下、異なる部分について説明する。
【００８２】
図１９を参照して、このプログラムは、ステップＳ１０２０の後に実行され、読取った画像データを画像処理することにより、角部２１０に原稿の角があるか否か、すなわち角部２１０に原稿の角を合わせて原稿が載置されているか否かを判定し、判定結果に応じて制御の流れを分岐させるステップＳ３０００と、ステップＳ１０４０の後に実行され、操作パネル１９２に警告画面を表示して、角部２１０に原稿の角が合っていないことをユーザに通知するステップＳ３０１０とを含む。
【００８３】
ステップＳ３０１０では、操作パネル１９２に図２０に示される警告画面５５０が表示される。図２０を参照して、警告画面５５０には、原稿の角が合っていない可能性があることをユーザに通知するメッセージ、原稿を左上の角に合わせるよう促すメッセージ、コピー処理を継続するか否かをユーザに選択させるための「はい」キー３１０及び「いいえ」キー３２０、並びにプレビュー画面を表示させるための「プレビュー画面表示」キー３３０が表示されている。警告画面５５０にはさらに、本スキャンにて読取った画像（プレビュー画像５６０）が表示されている。
【００８４】
［作用・効果］
以上の説明から明らかなように、本実施の形態に係る画像形成装置を利用することにより、以下に述べる効果を奏する。
【００８５】
本スキャンは、プレスキャンとは異なり、原稿画像を読取る際に必ず実行される処理である。本実施の形態に係る画像形成装置では、本スキャンによって読取った画像データに基づいて、角部２１０の周辺に原稿（原稿の角部分）が位置していることを検出する。これにより、容易に、角部２１０に原稿の角を合わせて原稿が載置されているか否かを判定できる。
【００８６】
プレスキャンによって読取った画像データを用いた場合でも、上記と同様にして、角部２１０の周辺に原稿（原稿の角部分）が位置していることを検出可能である。この場合、プレスキャンが不要な場合にもプレスキャンを実行する必要があるため、その分処理時間が長くなる。そのため、本実施の形態に示したように、本スキャンによって読取った画像データに基づいて、角部２１０の周辺に原稿（原稿の角部分）が位置していることを検出するのが好ましい。
【００８７】
（変形例）
上記実施の形態では、画像形成装置の一例である複合機（ＭＦＰ）に本発明を適用した例について示したが、本発明はそのような実施の形態には限定されない。画像形成装置は複合機以外の例えばコピー機であってもよい。
【００８８】
上記実施の形態では、画像読取装置の１種である、画像読取機能を持つ画像形成装置に本発明を適用した例について示したが、本発明はそのような実施の形態には限定されない。画像読取機能を持つ装置であれば、画像形成装置以外の装置にも本発明は適用可能である。例えば、ファクシミリ送受信機、スキャナ装置等の画像読取装置にも本発明を適用できる。
【００８９】
上記実施の形態では、原稿載置台の左奥の角を基準位置とする例について示したが、本発明はそのような実施の形態には限定されない。原稿を載置する際の基準位置は、左奥の角以外の角であってもよいし、角以外の位置であってもよい。
【００９０】
上記実施の形態では、原稿画像の読取処理を伴うコピー印刷を行なう例について示したが、本発明はそのような実施の形態には限定されない。原稿画像の読取処理を伴う処理であれば、コピー印刷以外の処理にも本発明を応用することができる。そうした処理としては、例えば画像送信処理（典型的にはファクシミリ送信処理）、画像保存処理（典型的にはスキャナ画像の保存処理）等が挙げられる。画像送信処理の場合は、コピー印刷時の印刷処理に代えて、読取った画像を送信する処理が実行される。画像保存処理の場合は、コピー印刷時の印刷処理に代えて、読取った画像を記憶装置に保存する処理が実行される。
【００９１】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９２】
１００、４００                        画像形成装置
１０２                                原稿載置台
１０４                                原稿カバー
１１０                                制御部
１２０                                画像読取部
１２２                                読取ユニット
１２４                                搬送部
１２６                                原稿サイズ検出部
１２８                                カバー開閉検出部
１３０、２３０、２４０、２５０        透過型の光電センサ
１４０                                画像処理部
１５０                                画像形成部
１６０                                給紙部
１７０                                原稿位置検出部
１７２                                反射型の光電センサ
１８０                                通信部
１９０                                操作部
１９２                                操作パネル
２１０                                角部
３００、５５０                        警告画面
【図１】
2015159410.tif 000003
【図２】
2015159410.tif 000004
【図３】
2015159410.tif 000005
【図４】
2015159410.tif 000006
【図５】
2015159410.tif 000007
【図６】
2015159410.tif 000008
【図７】
2015159410.tif 000009
【図８】
2015159410.tif 000010
【図９】
2015159410.tif 000011
【図１０】
2015159410.tif 000012
【図１１】
2015159410.tif 000013
【図１２】
2015159410.tif 000014
【図１３】
2015159410.tif 000015
【図１４】
2015159410.tif 000016
【図１５】
2015159410.tif 000017
【図１６】
2015159410.tif 000018
【図１７】
2015159410.tif 000019
【図１８】
2015159410.tif 000020
【図１９】
2015159410.tif 000021
【図２０】
2015159410.tif 000022